(57)【要約】【課題】より精度良く必要作動時間を算出し、宅内空調装置でエネルギーを無駄に消費することなく、建物への到着時に宅内空調装置が設置された場所の室温を所望温度に調整することを可能とする。【解決手段】車載器１０は、通信網を介して建物が位置する地域の気象条件および宅内空調装置２０が設置された場所の室温を取得し、建物が位置する地域の気象条件および宅内空調装置２０が設置された場所の室温を用いて宅内空調装置２０が設置場所の温度を所望温度に調整するのに必要な必要作動時間を算出するとともに建物への到着時刻を算出し、現在時刻が建物への到着時刻より必要作動時間手前の時刻の基準時刻を超えた場合、宅内空調装置２０に対して作動開始命令を送出する。【選択図】図１
2014071002.tif 000002
【特許請求の範囲】
【請求項１】
建物内の室温を調整する宅内空調装置と、当該宅内空調装置を遠隔操作する機能を有する移動端末から成る宅内空調装置遠隔操作システムであって、
前記移動端末は、
通信網を介して前記建物が位置する地域の気象条件および前記宅内空調装置が設置された場所の室温を取得する条件取得手段と、
前記条件取得手段により取得された前記建物が位置する地域の気象条件および前記宅内空調装置が設置された場所の室温を用いて前記宅内空調装置が設置された場所の室温を所望温度に調整するのに必要な必要作動時間を算出する必要作動時間算出手段と、
前記建物への到着時刻を算出し、現在時刻が前記建物への到着時刻より前記必要作動時間手前の時刻に近い基準時刻を超えた場合、前記宅内空調装置に対して作動開始命令を送出する作動開始命令送出手段と、を備えたことを特徴とする宅内空調装置遠隔操作システム。
【請求項２】
前記必要作動時間算出手段は、予め定められた気象条件毎に分類して前記宅内空調装置が設置された場所の室温を所望温度に調整するのに必要な必要作動時間を算出するための必要作動時間情報を規定したデータベースを参照し、前記条件取得手段により取得された前記建物が位置する地域の気象条件と条件が一致する前記必要作動時間情報および前記宅内空調装置が設置された場所の室温を用いて前記必要作動時間を算出することを特徴とする請求項１に記載の宅内空調装置遠隔操作システム。
【請求項３】
前記宅内空調装置は、
前記作動開始命令の受信に応じて前記建物内の空調温度の作動を開始すると、前記建物内の室温を定期的に収集し、当該建物内の室温を表す室温情報を前記移動端末へ送出する室温情報送出手段を備え、
前記移動端末は、
前記室温情報を受信すると当該室温情報に基づいて前記宅内空調装置が設置された場所の室温を所望温度に調整するのに必要な必要作動時間を算出するための必要作動時間情報を特定し、当該必要作動時間情報を前記建物が位置する地域の気象条件毎に分類したデータベースを構築するデータベース構築手段を備えたことを特徴とする請求項２に記載の宅内空調装置遠隔操作システム。
【請求項４】
前記建物が位置する地域の気象条件には、天気、外気温、日の出時刻、日の入り時刻の少なくとも１つが含まれることを特徴とする請求項１ないし３のいずれか１つに記載の宅内空調装置遠隔操作システム。
【請求項５】
前記移動端末は、
前記条件取得手段により取得された前記建物が位置する地域の気象条件と同一条件の前記データベースがない場合、前記通信網を介して前記宅内空調装置の型番毎に、前記宅内空調装置が設置された場所の室温を所望温度に調整するのに必要な必要作動時間を算出するための必要作動時間情報を規定した基本データベースから遠隔操作する前記宅内空調装置と同じ型番の必要作動時間情報を取得し、当該必要作動時間情報および前記宅内空調装置が設置された場所の室温を用いて前記必要作動時間を算出することを特徴とする請求項２ないし４のいずれか１つに記載の宅内空調装置遠隔操作システム。
【請求項６】
前記移動端末は、
前記作動開始命令の受信に応じて前記宅内空調装置により前記建物内の空調温度の作動が開始された後、前記建物への到着時刻を算出し、現在時刻が前記建物への到着時刻より前記必要作動時間手前の時刻に近い基準時刻を超えてないか否かを判定し、現在時刻が前記建物への到着時刻より前記必要作動時間手前の時刻に近い基準時刻を超えていないと判定した場合、前記宅内空調装置に対して作動停止命令を送出する作動停止命令送出手段を備えたことを特徴とする請求項１ないし５のいずれか１つに記載の宅内空調装置遠隔操作システム。
【発明の詳細な説明】
【技術分野】
【０００１】
本発明は、建物内の室温を調整する宅内空調装置と、当該宅内空調装置を遠隔操作する機能を有する移動端末から成る宅内空調装置遠隔操作システムに関するものである。
【背景技術】
【０００２】
従来、車両に取り付けられたナビゲーション装置において、予めエアコンが任意温度間の温度調整に要する調整時間情報を記憶しており、この調整時間情報を基として、ユーザからエアコンの種類とその所望温度の入力を受けると、自車両に設けられた外気温センサにより得られる外気温度から当該所望温度までの温度調整に必要な作動時間を取得し、その一方で、現在位置から住宅までの経路を探索し、この経路を走行した場合の住宅までの到着所用時間が上記必要作動時間に近づいた場合に、エアコンに対して作動命令を送信するようにしたものがある（例えば、特許文献１参照）。
【先行技術文献】
【特許文献】
【０００３】
【特許文献１】特開２００６−２８４４７７号公報
【発明の概要】
【発明が解決しようとする課題】
【０００４】
しかしながら、上記特許文献１に記載された装置は、室内温度を用いるのではなく、自車両に設けられた外気温センサにより得られる外気温度を用いて温度調整に必要な作動時間を取得するようになっているため、温度調整に必要な作動時間を精度良く特定することができないといった問題がある。
【０００５】
また、エアコンの設置された住宅等の周辺の気象条件が考慮されていないので、必要作動時間のばらつきが大きく、住宅等への到着時に所望の温度が得られないといった状況や、エアコンの作動開始時刻が早すぎてエネルギーを無駄に消費してしまうといった状況が発生してしまう。
【０００６】
本発明は上記問題に鑑みたもので、より精度良く必要作動時間を算出し、宅内空調装置でエネルギーを無駄に消費することなく、建物への到着時に宅内空調装置が設置された場所の室温を所望温度に調整することを可能とすることを目的とする。
【課題を解決するための手段】
【０００７】
上記目的を達成するため、請求項１に記載の発明は、移動端末は、通信網を介して建物が位置する地域の気象条件および宅内空調装置が設置された場所の室温を取得する条件取得手段と、条件取得手段により取得された建物が位置する地域の気象条件および宅内空調装置が設置された場所の室温を用いて宅内空調装置が設置された場所の室温を所望温度に調整するのに必要な必要作動時間を算出する必要作動時間算出手段と、建物への到着時刻を算出し、現在時刻が前記建物への到着時刻より必要作動時間手前の時刻に近い基準時刻を超えた場合、宅内空調装置に対して作動開始命令を送出する作動開始命令送出手段と、を備えたことを特徴としている。
【０００８】
このような構成によれば、移動端末は、通信網を介して建物が位置する地域の気象条件および宅内空調装置が設置された場所の室温を取得し、建物が位置する地域の気象条件および宅内空調装置が設置された場所の室温を用いて宅内空調装置が設置された場所の室温を所望温度に調整するのに必要な必要作動時間を算出するとともに建物への到着時間を算出し、現在時刻が建物までの到着時間より必要作動時間手前の時刻に近い基準時刻を越えた場合、宅内空調装置に対して作動開始命令を送出するので、より精度良く必要作動時間を算出し、宅内空調装置でエネルギーを無駄に消費することなく、建物への到着時に宅内空調装置が設置された場所の室温を所望温度に調整することが可能である。
【図面の簡単な説明】
【０００９】
【図１】本発明の一実施形態に係る宅内空調装置遠隔操作システムの全体構成を示す図である。
【図２】エアコン能力データベース（ベーシック）の内容を示した図である。
【図３】エアコン能力データベース（カスタム）の内容を示した図である。
【図４】車載器の制御部のフローチャートである。
【図５】図４中の必要動作時間算出処理を示すフローチャートである。
【図６】宅内空調装置の制御部による送信処理のフローチャートである。
【図７】車載器の制御部のフローでチャートである。
【発明を実施するための形態】
【００１０】
本発明の一実施形態に係る宅内空調装置遠隔操作システムの全体構成を図１に示す。本宅内空調装置遠隔操作システムは、建物（例えば、自宅建物）２内の室温を調整する宅内空調装置（エアコン）２０と、車両（自動車）１に搭載され、宅内空調装置２０を遠隔操作する機能を有する車載器１０により構成されている。車載器１０および宅内空調装置２０は、それぞれ、通信網（ネットワーク網）４０を介して情報センタに設置されたサーバ３０と接続することが可能となっている。
【００１１】
車載器１０は、ナビゲーションユニットとして構成されている。車載器１０は、現在位置を特定するための信号を出力する位置検出器、道路データ、施設データ、背景データ等を含む地図データを入力する地図データ入力部、各種画像を表示させるための表示部、ユーザの操作を受け付ける操作部、ネットワーク網４０を介して外部と無線通信するための通信部、各種演算を行う制御部１１、エアコン能力データベース（カスタム）（図中では、エアコン能力データベースをＡＣ能力ＤＢと記す）１２を備えている。なお、本実施形態における車載器１０は、通信部と接続された通信端末１５を介して外部と無線通信することが可能となっている。
【００１２】
制御部１１は、ＣＰＵ、ＲＡＭ、ＲＯＭ、ＥＥＰＲＯＭ、Ｉ／Ｏ等を備えたコンピュータとして構成されており、ＣＰＵはＲＯＭに記憶されたプログラムに従って各種処理を実施する。制御部１１の処理には、位置検出器より入力される現在位置を特定するための信号に基づいて現在位置を特定する現在位置特定手段、地図上の現在位置に自車位置マークを重ねて表示する地図表示処理、出発地から目的地に至る最適な案内経路を探索する経路探索処理、案内経路に従って走行案内を行う走行案内処理等がある。
【００１３】
また、本実施形態における制御部１１は、ネットワーク網４０を介してサーバ３０にアクセスし、サーバ３０に登録されている宅内空調装置２０を遠隔で制御する遠隔制御処理も行う。この遠隔制御処理については後で詳細に説明する。
【００１４】
また、エアコン能力データベース（カスタム）１２は、宅内空調装置２０が実際に作動した場合の能力をデータベース化したものである。このエアコン能力データベース（カスタム）１２についても後で詳細に説明する。
【００１５】
宅内空調装置２０は、建物内の空調温度を調整するエアコンとして構成されており、制御部２１を備えている。また、宅内空調装置２０は、室内の温度を検出するための温度センサを有している。
【００１６】
制御部２１は、ＣＰＵ、ＲＡＭ、ＲＯＭ、ＥＥＰＲＯＭ、Ｉ／Ｏ等を備えたコンピュータとして構成されており、ＣＰＵはＲＯＭに記憶されたプログラムに従って各種処理を実施する。制御部２１の処理には、ユーザにより設定された設定温度となるように、ユーザにより設定された風量で冷暖房制御を行う冷暖房処理等がある。
【００１７】
また、本実施形態における制御部２１は、ネットワーク網４０を介して接続されたサーバ３０と通信し、サーバ３０を介した車載器１０からの遠隔指示に応じた暖房処理あるいは冷房処理を行う遠隔制御処理を行う。また、制御部２１は、宅内空調装置２０が設置された部屋の室内温度を定期的に検出し、当該検出した室内温度をサーバ３０へ送出する情報送出処理等も実施する。
【００１８】
サーバ３０は、ＣＰＵ、ＲＡＭ、ＲＯＭ、ハードディスクドライブ、Ｉ／Ｏ等を備えたコンピュータとして構成されている。
【００１９】
サーバ３０には、作業者の登録操作に応じて遠隔操作する宅内空調装置２０と車載器１０の登録情報が記憶される。登録情報には、ログイン情報、暗証番号、遠隔操作する宅内空調装置２０の型番、宅内空調装置２０に接続するためのアドレス情報等の情報が含まれる。
【００２０】
また、サーバ３０は、車載器１０からアクセス要求があると、ログイン情報、暗証番号の送信を促して認証を行い、認証結果が正常の場合、登録された宅内空調装置２０に対する制御を許可するようになっている。なお、車載器１０は、サーバ３０へのアクセス要求時に、予めＥＥＰＲＯＭに記憶したログイン情報および暗証番号を送信するようになっている。
【００２１】
また、サーバ３０は、各地の気象状況（外気温、天気、日射の有無、日の出時刻、日の入り時刻）を、気象庁や天気情報センタ等の気象情報提供元より定期的に取得する処理を実施する。
【００２２】
また、サーバ３０は、各宅内空調装置２０の能力をデータベース化したエアコン能力データベース（ベーシック）３２を有している。
【００２３】
次に、エアコン能力データベースについて説明する。エアコン能力データベースは、宅内空調装置２０が設置場所の温度を所望温度に調整するのに必要な必要作動時間を算出するための必要作動時間情報（本実施形態では、単位時間当たりの温度変化量）を規定したものである。
【００２４】
エアコン能力データベース（ベーシック）３２は、宅内空調装置２０の型番毎に、宅内空調装置が設置場所の温度を所望温度に調整するのに必要な必要作動時間を算出するための必要作動時間情報を規定したものである。
【００２５】
また、エアコン能力データベース（カスタム）１２は、宅内に取り付けられた宅内空調装置２０が実際に作動したときの温度変化を収集して学習することにより構築されるものである。
【００２６】
図２に、エアコン能力データベース（ベーシック）３２の内容を示す。図に示すように、冷房能力と暖房能力に区別して、外気温毎に単位時間当たりの温度変化が規定されている。また、これらは、直射日光が有る場合と直射日光が無い場合に分けて規定されている。なお、風量設定は「自動」を前提としている。また、冷房時は時間の経過に伴って室温が低下し、暖房時は時間の経過に伴って室温が上昇するように規定されている。
【００２７】
例えば、外気温がＴ１度（℃）で、直射日光が有る場合の冷房能力は、Ａ１℃／ｍｉｍと規定されており、１分でＡ１℃、室温が低下することを意味する。
【００２８】
また、外気温がＴ１度（℃）で、直射日光が無い場合の暖房能力は、Ｄ１℃／ｍｉｍと規定されており、１分でＤ１℃、室温が上昇することを意味する。
【００２９】
図３に、エアコン能力データベース（カスタム）１２の内容を示す。図に示すように、冷房能力と暖房能力に区別して、外気温毎に単位時間当たりの温度変化が規定されている。また、これらは、直射日光が有る場合と直射日光が無い場合に分けて規定されている。なお、冷房時は時間の経過に伴って室温が低下し、暖房時は時間の経過に伴って室温が上昇するように規定されている。
【００３０】
例えば、外気温がＴ１度（℃）で、直射日光が有る場合の冷房能力は、（Ａ１＋α１１）℃／ｍｉｍと規定されており、１分で（Ａ１＋α１１）℃、室温が低下することを意味する。
【００３１】
また、外気温がＴ１度（℃）で、直射日光が無い場合の暖房能力は、（Ｄ１＋α４１）℃／ｍｉｍと規定されており、１分で（Ｄ１＋α４１）℃、室温が上昇することを意味する。
【００３２】
なお、図３中、α１１〜α４１およびα２１〜α４２は、実使用時における冷暖房能力の補正値を意味する。
【００３３】
次に、宅内空調装置２０を遠隔操作する場合の車載器１０と宅内空調装置２０の作動について説明する。図４〜図５、図７に、車載器１０の制御部１１のフローチャートを示す。また、図６に、宅内空調装置２０の制御部２１のフローチャートを示す。
【００３４】
まず、図４〜図５に従って、車載器１０の制御部１１の処理について説明する。なお、サーバ３０は、常時、動作状態となっており、宅内空調装置２０は、空調制御を停止した状態で、制御部２１がサーバ３０との通信待ち状態となっているものとする。
【００３５】
車載器１０の制御部１１は、宅内空調装置２０の遠隔操作の対象地点として登録されている自宅が目的地に設定されると、現在位置（出発地）から目的地に至る案内経路を探索し、案内経路に従って走行案内を開始するとともに、図４に示す処理を実施する。
【００３６】
まず、自宅設定温度を特定する（Ｓ１００）。この自宅設定温度は、宅内空調装置２０の設定温度に相当する。具体的には、ユーザに自宅設定温度の入力を促して自宅設定温度を特定する。
【００３７】
次に、遠隔操作する宅内空調装置２０の型番を取得する（Ｓ１０２）。具体的には、サーバ３０にアクセスするとともにログイン情報および暗証番号をサーバ３０に送信し、サーバ３０から遠隔操作する宅内空調装置２０の型番を取得する。
【００３８】
次に、エアコン能力データベース（カスタム）１２が有るか否かを判定する（Ｓ１０４）。具体的には、冷暖房能力、直射日光、外気温度について、現在の条件と同一条件のエアコン能力データベース（カスタム）１２が有るか否かを判定する。したがって、エアコン能力データベース（カスタム）１２が構築されていても、現在の条件と同一条件のエアコン能力データベース（カスタム）１２が無い場合には、エアコン能力データベース（カスタム）１２が無いと判定する。ここでは、まだ、エアコン能力データベース（カスタム）１２が構築されていないものとする。この場合、Ｓ１０４の判定はＮＯとなり、次に、サーバ３０から、遠隔操作する宅内空調装置２０と同じ型番のエアコン能力データベース（ベーシック）３２を取得する（Ｓ１０８）。
【００３９】
次に、サーバ３０から自宅位置の日の出時刻および日の入り時刻を取得し（Ｓ１０６）、次に、サーバ３０から自宅位置の天気情報を取得する（Ｓ１１０）。天気情報には、「晴れ」または「晴れ以外」を示す情報が含まれる。
【００４０】
次に、サーバ３０から自宅位置の外気温情報を取得し（Ｓ１１２）、次に、サーバ３０を介して宅内空調装置２０から室温情報を取得する（Ｓ１１４）。具体的には、宅内空調装置２０に対する室温の送信要求をサーバ３０に送出すると、サーバ３０はこの送信要求を宅内空調装置２０に送出するようになっており、この送信要求に応答して宅内空調装置２０からサーバ３０に室温を表す室温情報が送出される。制御部１１は、このようにして宅内空調装置２０からサーバ３０に送出された室温情報を取得する。
【００４１】
次に、図５に示す必要動作時間算出処理を実施する（Ｓ２００）。この必要動作時間算出処理において、Ｓ２０２では、Ｓ１０６にて取得した情報に基づいて現在時刻が日の出時刻以降で、かつ、日の入り時刻以前であるか否かを判定する。
【００４２】
また、Ｓ２０４では、Ｓ１１０にて取得した情報に基づいて自宅位置の天気が晴れであるか否かを判定する。
【００４３】
また、Ｓ２０６、Ｓ２１４では、それぞれ設定温度が室温よりも高いか否かを判定する。
【００４４】
ここで、例えば、現在時刻が日の出時刻以降で、かつ、日の入り時刻以前で、自宅位置の天気が晴れで、設定温度が室温よりも高い場合、Ｓ２０２、Ｓ２０４、Ｓ２０６の判定はＹＥＳとなり、エアコン能力データベース（ベーシック）３２から「暖房、直射日光有り」の情報を取得する（Ｓ２０８）。
【００４５】
また、現在時刻が日の出時刻以降で、かつ、日の入り時刻以前で、自宅位置の天気が晴れで、設定温度が室温以下の場合、Ｓ２０２、Ｓ２０４の判定はＹＥＳ、Ｓ２０６の判定はＮＯとなり、エアコン能力データベース（ベーシック）３２から「冷房、直射日光有り」の情報を取得する（Ｓ２１２）。
【００４６】
また、現在時刻が日の出時刻よりも前、あるいは日の入り時刻よりも後で、設定温度が室温よりも高い場合、Ｓ２０２の判定はＮＯ、Ｓ２２４の判定はＹＥＳとなり、エアコン能力データベース（ベーシック）３２から「暖房、直射日光無し」の情報を取得する（Ｓ２１６）。
【００４７】
また、現在時刻が日の出時刻よりも前、あるいは日の入り時刻よりも後で、設定温度が室温以下の場合、Ｓ２０２、Ｓ２２４の判定はいずれもＮＯとなり、エアコン能力データベース（ベーシック）３２から「冷房、直射日光無し」の情報を取得する（Ｓ２１８）。
【００４８】
次に、室温、設定温度、エアコン能力から必要作動時間を算出する（Ｓ２１０）。図２に示したように、エアコン能力データベース（ベーシック）３２では、外気温がＴ１度（℃）の場合における、直射日光が有る場合の冷房能力は、Ａ１℃／ｍｉｍと規定されている。この場合、室温−設定温度＝Ａ１×ｔ（ｍｉｎ）の関係が成立する。すなわち、必要作動時間ｔ＝（室温−設定温度）／Ａ１として算出することができる。
【００４９】
また、図２に示したように、エアコン能力データベース（ベーシック）３２では、外気温がＴ１度（℃）の場合における、直射日光が無い場合の暖房能力は、Ｄ１℃／ｍｉｍと規定されている。この場合、設定温度−室温＝Ｄ１×ｔ（ｍｉｎ）の関係が成立する。すなわち、必要作動時間ｔ＝（設定温度−室温）／Ｄ１として算出することができる。
【００５０】
このようにして、必要作動時間を算出すると、図４のＳ１１６へ進む。このＳ１１６では、目的地に到着する目的地到着時刻を算出するとともに、現在時刻が目的地到着時刻より必要作動時間手前の時刻を超過したか否かを判定する。
【００５１】
ここで、現在時刻が目的地到着時刻より必要作動時間手前の時刻を超過していない場合、Ｓ１１６の判定はＮＯとなり、Ｓ１１０へ戻る。また、現在時刻が目的地到着時刻より必要作動時間手前の時刻になると、Ｓ１１６の判定はＹＥＳとなり、作動開始命令を送信する（Ｓ１１８）。具体的には、遠隔操作する宅内空調装置２０に対する作動開始命令をサーバ３０へ送信し、本処理を終了する。なお、この作動開始命令の受信に応じてサーバ３０から宅内空調装置２０に対して作動開始命令が送信される。
【００５２】
なお、宅内空調装置２０は、この作動開始命令をサーバ３０を介して受信すると、作動開始命令に応じた冷房制御または暖房制御を開始する。
【００５３】
本宅内空調装置２０の制御部２１は、この作動開始命令に応じた冷房制御または暖房制御を開始すると、室内の温度変化を収集し、サーバ３０を介して車載装置１０へ送信する送信処理を行う。
【００５４】
図６に、宅内空調装置２０の制御部２１による送信処理のフローチャートを示す。制御部２１は、作動開始命令に応じた冷房制御または暖房制御を開始すると、定期的に図６に示す処理を実施する。
【００５５】
この送信処理では、まず、室温を収集する（Ｓ３００）。なお、室温は、室温を検出するための温度センサからの信号に基づいて収集することができる。
【００５６】
次に、室温を表す室温情報をサーバ３０へ送信する（Ｓ３０２）。具体的には、室温情報に、外気温、直射日光の有無、冷房または暖房を示す情報を付加して車載器１０へ送信し、本処理を終了する。
【００５７】
なお、図４、図５に示したように、自宅へ到着する前に車載器１０から宅内空調装置２０へ作動開始命令が送信され、宅内空調装置２０により作動開始命令に応じた冷房制御または暖房制御が開始されると、車載器１０の制御部１１は、図７に示す処理を実施する。
【００５８】
まず、自宅位置の天気を取得し（Ｓ４００）、自宅位置の外気温を取得する（Ｓ４０２）。なお、Ｓ４００〜Ｓ４０２は、Ｓ１１０〜Ｓ１１２と同じである。
【００５９】
次に、室温を取得する（Ｓ４０４）。具体的には、図６に示した処理により宅内空調装置２０からサーバ３０に定期的に送信される室温情報を取得する。
【００６０】
次に、室温情報に基づく室温の変化量をエアコン能力データベース(カスタム)１２に反映するように、エアコン能力データベース（カスタム）１２を構築または更新する（Ｓ４０６）。具体的には、宅内空調装置２０より定期的に送信された室温情報に基づいて宅内空調装置２０が設置場所の温度を所望温度に調整するのに必要な必要作動時間を算出するための必要作動時間情報（本実施形態では、単位時間当たりの温度変化量）を特定し、当該必要作動時間情報を建物が位置する地域の気象条件毎に分類したデータベースを構築する。本実施形態では、今回と前回の室温の温度差を取得周期で除算することにより必要作動時間情報（単位時間当たりの温度変化量）を特定する。
【００６１】
また、既にエアコン能力データベース（カスタム）１２が構築されている場合には学習して更新する。本実施形態では、今回と前回の室温の温度差を取得周期で除算することにより暫定必要作動時間情報（単位時間当たりの温度変化量）を特定する。更に、今回特定した暫定必要作動時間情報（単位時間当たりの温度変化量）と前回特定した暫定必要作動時間情報（単位時間当たりの温度変化量）の平均値を新たな必要作動時間情報として学習する。このように、宅内空調装置２０が実際に作動した場合の室温の変化量を反映したエアコン能力データベース（カスタム）１２が構築または更新される。
【００６２】
また、次のＳ２００では、図５に示した必要作動時間算出処理を実施する。ここで、エアコン能力データベース（カスタム）１２が構築されている場合には、エアコン能力データベース（カスタム）１２を用いて必要作動時間算出処理を実施し、エアコン能力データベース（カスタム）１２が構築されていない場合には、エアコン能力データベース（ベーシック）３２を用いて必要作動時間算出処理を実施する。
【００６３】
また、次のＳ４０８では、現在時刻が目的地到着時刻よりも必要作動時間手前の時刻を超過してないか否かを判定する。
【００６４】
ここで、現在時刻が目的地到着時刻よりも必要作動時間手前の時刻を超過している場合、Ｓ４０８の判定はＮＯとなり、Ｓ４００へ戻る。しかし、例えば、休憩や渋滞等によって目的地到着時刻が遅くなり、現在時刻が目的地到着時刻よりも必要作動時間手前の時刻を超過しなくなった場合、Ｓ４０８の判定はＹＥＳとなり、宅内空調装置２０へ作動停止命令を送信する（Ｓ４１０）。具体的には、サーバ３０を介して遠隔操作する宅内空調装置２０に対して作動停止命令を送信し、本処理を終了する。
【００６５】
このように、遠隔操作する宅内空調装置２０に対して作動停止命令を送信し、この作動停止命令の受信に応じて宅内空調装置２０が冷暖房制御を停止した場合、再度、図４、図５に示した処理が実施される。
【００６６】
なお、図７に示したように、エアコン能力データベース（カスタム）１２が一度構築されると、それ以降、図４におけるＳ１０４の判定はＹＥＳとなり、このエアコン能力データベース（カスタム）１２を用いた必要作動時間の算出が行われる。
【００６７】
上記した構成によれば、車載器１０は、通信網を介して建物が位置する地域の気象条件および宅内空調装置２０が設置された場所の室温を取得し、建物が位置する地域の気象条件および宅内空調装置２０が設置された場所の室温を用いて宅内空調装置２０が設置された場所の室温を所望温度に調整するのに必要な必要作動時間を算出するとともに建物への到着時間を算出し、現在時刻が建物への到着時間より手前の必要作動時間に近い基準時刻を越えた場合、宅内空調装置に対して作動開始命令を送出するので、より精度良く必要作動時間を算出し、宅内空調装置でエネルギーを無駄に消費することなく、建物への到着時に宅内空調装置が設置された場所の室温を所望温度に調整することが可能である。また、宅内空調装置に対して作動開始命令を送出する前に、必要作動時間の算出を繰り返すことにより、宅内空調装置に対して作動開始命令を送出する前に、建物が位置する地域の気象条件が変化した場合でも、建物が位置する地域の気象条件に追従するように必要作動時間を算出することができる。
【００６８】
具体的には、車載器１０は、予め定められた気象条件毎に分類して宅内空調装置２０が設置された場所の室温を所望温度に調整するのに必要な必要作動時間を算出するための必要作動時間情報を規定したデータベース（エアコン能力データベース（カスタム）に相当する）を参照し、建物が位置する地域の気象条件と条件が一致する必要作動時間情報および宅内空調装置２０が設置された場所の室温を用いて必要作動時間を算出することができる。
【００６９】
また、宅内空調装置２０は、車載器１０からの作動開始命令の受信に応じて建物内の空調温度の作動を開始すると、建物内の室温を定期的に収集し、当該建物内の室温を表す室温情報を車載器１０へ送出し、車載器１０は、この室温情報を受信すると当該室温情報に基づいて宅内空調装置が設置された場所の室温を所望温度に調整するのに必要な必要作動時間を算出するための必要作動時間情報を特定し、当該必要作動時間情報を建物が位置する地域の気象条件毎に分類したデータベースを構築するので、部屋の間取りや部屋の向きによる影響や宅内空調装置の経年劣化による冷暖房能力への影響を必要作動時間情報に反映させることができ、実際の宅内空調装置の使用環境に適したような必要作動時間の算出を行うことができる。
【００７０】
また、車載器１０は、前記建物が位置する地域の気象条件と同一条件のデータベース（エアコン能力データベース（カスタム）に相当する）がない場合、通信網を介して宅内空調装置の型番毎に、宅内空調装置が設置された場所の室温を所望温度に調整するのに必要な必要作動時間を算出するための必要作動時間情報を規定した基本データベース（エアコン能力データベース（ベーシック）に相当する）から遠隔操作する宅内空調装置と同じ型番の必要作動時間情報を取得し、当該必要作動時間情報および宅内空調装置が設置された場所の室温を用いて必要作動時間を算出することができる。
【００７１】
また、渋滞や休憩等によって目的地到着時刻が遅くなった場合でも、車載器１０は、作動開始命令の受信に応じて宅内空調装置により建物内の空調温度の作動が開始された後、建物への到着時刻を算出し、現在時刻が建物への到着時刻より必要作動時間手前の時刻に近い基準時刻を超過していないか否かを判定し、現在時刻が建物への到着時刻より必要作動時間手前の時刻に近い基準時刻を超えていないと判定した場合、宅内空調装置に対して作動停止命令を送出するので、宅内空調装置２０でエネルギーを無駄に消費しないようにすることが可能である。
【００７２】
なお、本発明は上記実施形態に限定されるものではなく、本発明の趣旨に基づいて種々なる形態で実施することができる。
【００７３】
例えば、上記実施形態では、サーバ３０に、自宅の宅内空調装置の能力を表すエアコン能力データベース（ベーシック）３２を備えた構成を示したが、例えば、車載器１０にエアコン能力データベース（ベーシック）３２を備えるように構成してもよい。
【００７４】
また、上記実施形態では、サーバ３０を介して建物が位置する地域の気象条件および宅内空調装置が設置された場所の室温を取得したが、必ずしもサーバ３０を介して取得する必要はない。
【００７５】
また、上記実施形態では、宅内空調装置を遠隔操作する機能を有する移動端末として車両に搭載された車載器１０を用いた例を示したが、車載器に限定されるものではなく、例えば、スマートフォン、携帯電話、ＰＤＡ、ノートパソコン等を用いて構成してもよい。
【００７６】
また、上記実施形態では、Ｓ１１６にて、目的地への到着予想時刻を算出し、現在時刻が目的地到着時刻より必要作動時間手前の時刻を超過したか否かを判定し、現在時刻が目的地到着時刻より必要作動時間手前の時刻を超過したと判定された場合に宅内空調装置に対して作動開始命令を送出したが、このような例に限定されれるものではなく、例えば、建物への到着時刻を算出し、現在時刻が当該建物への到着時間より必要作動時間手前の時刻に近い基準時刻を超えた場合、宅内空調装置に対して作動開始命令を送出する等、少し早めに作動停止命令を送出するように構成してもよい。なお、建物への到着時間より必要作動時間手前の時刻に近い基準時刻とは、例えば、建物への到着時間より必要作動時間手前の時刻の１分前、建物への到着時間より必要作動時間手前の時刻の１分後等とすることができる。
【００７７】
また、上記実施形態では、Ｓ４０８にて、現在時刻が目的地到着時刻よりも必要作動時間手前の時刻を超過してないか否かを判定し、現在時刻が目的地到着時刻よりも必要作動時間手前の時刻を超過してないと判定された場合、宅内空調装置２０へ作動停止命令を送信する例を示したが、このような例に限定されるものではなく、例えば、建物への到着時刻を算出し、現在時刻が当該建物への到着時刻より必要作動時間手前の時刻に近い基準時刻を超えてないか否かを判定し、現在時刻が当該建物への到着時刻より必要作動時間手前の時刻に近い基準時刻を超えてないと判定された場合、宅内空調装置に対して作動停止命令を送出する等、少し早めに作動停止命令を送出するように構成してもよい。
【００７８】
なお、上記実施形態における構成と特許請求の範囲の構成との対応関係について説明すると、Ｓ１０６〜Ｓ１１４、Ｓ４００〜Ｓ４０４が条件取得手段に相当し、Ｓ２００が必要作動時間算出手段に相当し、Ｓ１１６、Ｓ１１８が作動開始命令送出手段に相当し、Ｓ３００、Ｓ３０２が室温情報送出手段に相当し、Ｓ４０６がデータベース構築手段に相当し、Ｓ４０８、Ｓ４１０が作動停止命令送出手段に相当する。
【符号の説明】
【００７９】
１    車両（自動車）
２    建物
１０  車載器
１１  制御部
１２  エアコン能力データベース（カスタム）
２０  宅内空調装置
２１  制御部
３０  サーバ
３２  エアコン能力データベース（ベーシック）
【図１】
2014071002.tif 000003
【図２】
2014071002.tif 000004
【図３】
2014071002.tif 000005
【図４】
2014071002.tif 000006
【図５】
2014071002.tif 000007
【図６】
2014071002.tif 000008
【図７】
2014071002.tif 000009